(57)【要約】【課題】ポール式視線誘導標に装着されるポール式視線誘導標用カバーの問題点を解消する。具体的には、劣化などで低下したポール式視線誘導標の視認性を回復させるだけでなく、新品時を超える良好な視認性をポール式視線誘導標に付与する。【解決手段】ポール式視線誘導標Ｐに装着されるポール式視線誘導標用カバー１であって、ポール式視線誘導標Ｐの外周面を覆う筒部２と、該筒部２の外周面から外方に延出し、ポール式視線誘導標Ｐの視認幅を拡張する翼部３とを備える。【選択図】図１
2011094470.tif 000002
【特許請求の範囲】
【請求項１】
ポール式視線誘導標に装着されるポール式視線誘導標用カバーであって、
前記ポール式視線誘導標の外周面を覆う筒部と、
該筒部の外周面から外方に延出し、前記ポール式視線誘導標の視認幅を拡張する翼部と
を備えることを特徴とするポール式視線誘導標用カバー。
【請求項２】
前記翼部は、前記筒部の外周面において上下方向に沿って連続的に形成されることを特徴とする請求項１記載のポール式視線誘導標用カバー。
【請求項３】
前記翼部は、前記筒部の外周面において周方向に所定の間隔を存して複数形成されることを特徴とする請求項１又は２記載のポール式視線誘導標用カバー。
【請求項４】
平面視で直線的に連続する一対の前記翼部を有し、該一対の前記翼部が正面視で視認幅全域にわたるフラットな表示面を形成することを特徴とする請求項１又は２記載のポール式視線誘導標用カバー。
【請求項５】
前記筒部及び前記翼部は、左右方向に沿い、かつ、上下方向に並列する複数の条列からなる縞模様を有し、前記翼部は、前記条列を長さ方向に延長させる方向に延出されることを特徴とする請求項１〜４のいずれか一項に記載のポール式視線誘導標用カバー。
【請求項６】
前記筒部及び前記翼部は、再帰性反射シートを用いて形成されることを特徴とする請求項１〜５のいずれか一項に記載のポール式視線誘導標用カバー。
【請求項７】
前記筒部及び前記翼部の表面には、親水性のセルフクリーニングフィルムが積層されることを特徴とする請求項１〜６のいずれか一項に記載のポール式視線誘導標用カバー。
【請求項８】
前記筒部の内周面を前記ポール式視線誘導標の外周面に両面粘着テープで固定するにあたり、一方の粘着面に剥離紙が貼られた前記両面粘着テープの他方の粘着面を、予め前記筒部の内周面に上下方向に沿って貼り付けると共に、前記剥離紙の下端部に連結される長尺物の上端部を前記筒部の上部開口から引き出したことを特徴とする請求項１〜７のいずれか一項に記載のポール式視線誘導標用カバー。
【請求項９】
所定の間隔を存して立設される複数のポール式視線誘導標に装着される複数のポール式視線誘導標用カバーであって、複数のポール式視線誘導標用カバーの組み合せで所定の絵柄又は文字が表示されるように、所定の絵柄又は文字を分割して各ポール式視線誘導標用カバーの外観に施したことを特徴とする請求項１〜８のいずれか一項に記載のポール式視線誘導標用カバー。
【発明の詳細な説明】
【技術分野】
【０００１】
本発明は、ポール式視線誘導標に装着されるポール式視線誘導標用カバーに関する。
【背景技術】
【０００２】
車線分離などの目的で道路に設置されるポール式視線誘導標が知られている（例えば、特許文献１参照）。この種のポール式視線誘導標は、外周面に再帰性反射シートなどを貼着することにより、良好な視認性を確保しているが、長期に亘って設置すると、表面の汚れ、劣化、損傷などに起因し、視認性が低下するという問題がある。汚れを原因とする場合は、清掃作業により視認性を随時回復可能であるが、劣化や損傷を原因とする場合は、ポール式視線誘導標の本体を交換しないと視認性の回復が難しいため、交換費用が嵩むという問題があった。
【０００３】
そこで、ポール式視線誘導標に装着するポール式視線誘導標用カバーが提案されている（例えば、特許文献２参照）。この種のポール式視線誘導標用カバーは、新品時のポール式視線誘導標と同等の視認性を備えているので、ポール式視線誘導標に被せるだけで、ポール式視線誘導標の視認性を回復することができ、その結果、ポール式視線誘導標を交換する場合に比して大幅なコストの削減が可能になる。
【先行技術文献】
【特許文献】
【０００４】
【特許文献１】特許第３２９０３１０号公報
【特許文献２】特開平５−１５６６１２号公報
【発明の概要】
【発明が解決しようとする課題】
【０００５】
上記のようなポール式視線誘導標用カバーによれば、劣化などで低下したポール式視線誘導標の視認性を新品時と同等なレベルまで回復させることが可能であるが、新品時を超えるような視認性をポール式視線誘導標に付与することは困難であった。
【課題を解決するための手段】
【０００６】
本発明は、上記の如き実情に鑑みこれらの課題を解決することを目的として創作されたものであって、ポール式視線誘導標に装着されるポール式視線誘導標用カバーであって、前記ポール式視線誘導標の外周面を覆う筒部と、該筒部の外周面から外方に延出し、前記ポール式視線誘導標の視認幅を拡張する翼部とを備えることを特徴とする。
また、前記翼部は、前記筒部の外周面において上下方向に沿って連続的に形成されることを特徴とする。
また、前記翼部は、前記筒部の外周面において周方向に所定の間隔を存して複数形成されることを特徴とする。
また、平面視で直線的に連続する一対の前記翼部を有し、該一対の前記翼部が正面視で視認幅全域にわたるフラットな表示面を形成することを特徴とする。
また、前記筒部及び前記翼部は、左右方向に沿い、かつ、上下方向に並列する複数の条列からなる縞模様を有し、前記翼部は、前記条列を長さ方向に延長させる方向に延出されることを特徴とする。
また、前記筒部及び前記翼部は、再帰性反射シートを用いて形成されることを特徴とする。
また、前記筒部及び前記翼部の表面には、親水性のセルフクリーニングフィルムが積層されることを特徴とする。
また、前記筒部の内周面を前記ポール式視線誘導標の外周面に両面粘着テープで固定するにあたり、一方の粘着面に剥離紙が貼られた前記両面粘着テープの他方の粘着面を、予め前記筒部の内周面に上下方向に沿って貼り付けると共に、前記剥離紙の下端部に連結される長尺物の上端部を前記筒部の上部開口から引き出したことを特徴とする。
また、所定の間隔を存して立設される複数のポール式視線誘導標に装着される複数のポール式視線誘導標用カバーであって、複数のポール式視線誘導標用カバーの組み合せで所定の絵柄又は文字が表示されるように、所定の絵柄又は文字を分割して各ポール式視線誘導標用カバーの外観に施したことを特徴とする。
【発明の効果】
【０００７】
請求項１の発明によれば、ポール式視線誘導標用カバーは、ポール式視線誘導標の外周面を覆う筒部と、該筒部の外周面から外方に延出し、ポール式視線誘導標の視認幅を拡張する翼部とを備えるので、劣化などで低下したポール式視線誘導標の視認性を回復させることができるだけでなく、新品時を超える良好な視認性をポール式視線誘導標に付与することができる。
また、請求項２の発明によれば、翼部は、筒部の外周面において上下方向に沿って連続的に形成されるので、上下方向の全域においてポール式視線誘導標の視認幅を拡張することができる。
また、請求項３の発明によれば、翼部は、筒部の外周面において周方向に所定の間隔を存して複数形成されるので、様々な視点においてポール式視線誘導標の視認幅を拡張することができる。
また、請求項４の発明によれば、平面視で直線的に連続する一対の前記翼部を有し、該一対の前記翼部が正面視で視認幅全域にわたるフラットな表示面を形成するので、フラットな表示面において視認性の高い表示を行うことができる。例えば、フラットな表示面において縞模様、絵柄、文字などを表示するようにした場合、曲面による縞模様、絵柄、文字などの歪みを防止し、表示する縞模様、絵柄、文字などの視認性を高めることができる。
また、請求項５の発明によれば、筒部及び翼部は、左右方向に沿い、かつ、上下方向に並列する複数の条列からなる縞模様を有し、翼部は、条列を長さ方向に延長させる方向に延出されるので、縞模様を強調することができ、その結果、ポール式視線誘導標の視認性をさらに向上させることができる。
また、請求項６の発明によれば、筒部及び翼部は、再帰性反射シートを用いて形成されるので、夜間におけるポール式視線誘導標の視認幅を拡張し、夜間の視認性を向上させることができる。
また、請求項７の発明によれば、筒部及び翼部の表面には、親水性のセルフクリーニングフィルムが積層されるので、ポール式視線誘導標にセルフクリーニング機能を付与することができる。
また、請求項８の発明によれば、筒部の内周面をポール式視線誘導標の外周面に両面粘着テープで固定するにあたり、一方の粘着面に剥離紙が貼られた両面粘着テープの他方の粘着面を、予め筒部の内周面に上下方向に沿って貼り付けると共に、剥離紙の下端部に連結される長尺物の上端部を筒部の上部開口から引き出したので、ポール式視線誘導標に筒部を被せた後、筒部の上部開口から引き出された長尺物を上方に引っ張るだけで、両面粘着テープの一方の粘着面から剥離紙を剥がすことができ、その結果、剥離紙を剥がした状態で筒部をポール式視線誘導標に被せる場合に比べ、ポール式視線誘導標用カバーの装着容易性を向上させることができる。
また、請求項９の発明によれば、所定の間隔を存して立設される複数のポール式視線誘導標に装着される複数のポール式視線誘導標用カバーであって、複数のポール式視線誘導標用カバーの組み合せで所定の絵柄又は文字が表示されるように、所定の絵柄又は文字を分割して各ポール式視線誘導標用カバーの外観に施したので、視認幅が拡張された複数のポール式視線誘導標用カバーの組み合せで所定の絵柄又は文字を視認性良く表示することができる。
【図面の簡単な説明】
【０００８】
【図１】（Ａ）はポール式視線誘導標用カバーの平面図、（Ｂ）はポール式視線誘導標用カバーの左側面図、（Ｃ）はポール式視線誘導標用カバーの正面図である。
【図２】ポール式視線誘導標用カバーの斜視図である。
【図３】（Ａ）は使用状態を示すポール式視線誘導標用カバーの平面図、（Ｂ）は使用状態を示すポール式視線誘導標用カバーの左側面図、（Ｃ）は使用状態を示すポール式視線誘導標用カバーの正面図である。
【図４】使用状態を示すポール式視線誘導標用カバーの斜視図である。
【図５】（Ａ）は翼部の数を１枚としたポール式視線誘導標用カバーの平面図、（Ｂ）は翼部の数を３枚としたポール式視線誘導標用カバーの平面図、（Ｃ）は翼部の数を４枚としたポール式視線誘導標用カバーの平面図である。
【図６】ポール式視線誘導標用カバーの層構造を示す拡大断面図である。
【図７】ポール式視線誘導標用カバーの翼部形成方法を示す正面図である。
【図８】（Ａ）〜（Ｃ）はポール式視線誘導標用カバーの装着手順を示す斜視図である。
【図９】（Ａ）は第二実施形態に係るポール式視線誘導標用カバーの平面図、（Ｂ）は第二実施形態に係るポール式視線誘導標用カバーの左側面図、（Ｃ）は第二実施形態に係るポール式視線誘導標用カバーの正面図、（Ｄ）は第二実施形態に係るポール式視線誘導標用カバーの右側面図、（Ｅ）は第二実施形態に係るポール式視線誘導標用カバーの背面図である。
【図１０】（Ａ）は第三実施形態に係るポール式視線誘導標用カバーの平面図、（Ｂ）は第三実施形態に係るポール式視線誘導標用カバーの左側面図、（Ｃ）は第三実施形態に係るポール式視線誘導標用カバーの正面図、（Ｄ）は第三実施形態に係るポール式視線誘導標用カバーの右側面図、（Ｅ）は第三実施形態に係るポール式視線誘導標用カバーの背面図である。
【図１１】第四実施形態に係るポール式視線誘導標用カバーの正面図である。
【発明を実施するための形態】
【０００９】
以下、本発明の実施の形態について、図面に基づいて説明する。図１〜図４において、１はポール式視線誘導標用カバーであって、該ポール式視線誘導標用カバー１は、劣化などで視認性が低下したポール式視線誘導標Ｐに装着し、当該ポール式視線誘導標Ｐの視認性を回復させるためのものである。
【００１０】
本発明のポール式視線誘導標用カバー１は、ポール式視線誘導標Ｐの外周面を覆う筒部２と、該筒部２の外周面から外方に延出し、ポール式視線誘導標Ｐの視認幅を拡張する翼部３とを備えている。このように構成されたポール式視線誘導標用カバー１によれば、劣化などで低下したポール式視線誘導標Ｐの視認性を回復させることができるだけでなく、翼部３による視認幅の拡張に基づいて、新品時を超える良好な視認性をポール式視線誘導標Ｐに付与することが可能になる。
【００１１】
また、翼部３は、筒部２の外周面において上下方向に沿って連続的に形成されることが好ましい。その理由は、上下方向の全域においてポール式視線誘導標Ｐの視認幅を拡張することができるからである。
【００１２】
また、翼部３は、図５の（Ａ）に示すように、１枚でも良いが、筒部２の外周面において周方向に所定の間隔を存して複数形成されることが好ましい。その理由は、様々な視点においてポール式視線誘導標Ｐの視認幅を拡張することができるからである。例えば、図１〜図４は、翼部３が２枚のポール式視線誘導標用カバー１を示し、図５の（Ｂ）は、翼部３が３枚のポール式視線誘導標用カバー１を示し、図５の（Ｃ）は、翼部３が４枚のポール式視線誘導標用カバー１を示しているが、翼部３の数は、５枚以上としても良い。
【００１３】
また、筒部２及び翼部３は、左右方向に沿い、かつ、上下方向に並列する複数の条列４からなる縞模様５を有する。例えば、白色の条列４と、オレンジ色の条列４を交互に並列させた縞模様５とする。このとき翼部３は、条列４を長さ方向に延長させる方向に延出されることが好ましい。その理由は、翼部３を形成することにより縞模様５が強調され、ポール式視線誘導標Ｐの視認性がさらに向上するからである。
【００１４】
次に、ポール式視線誘導標用カバー１の層構造について、図６を参照して説明する。
【００１５】
図６に示すように、本実施形態に係るポール式視線誘導標用カバー１の筒部２及び翼部３は、ベースシート６に、反射シート７及び表面フィルム８を積層した３層構造のシート体９からなり、ベースシート６としては、ＥＶＡターポリン、ウレタンターポリン、オレフィンＰＰターポリンなどの防水布を好適に用いることができる。
【００１６】
反射シート７としては、再帰性反射シートを用いることが好ましい。その理由は、夜間におけるポール式視線誘導標Ｐの視認幅を確実に拡張し、夜間の視認性を向上させることができるからである。再帰性反射シートとしては、キューブコーナーレンズを用いたものや、ガラスビーズを用いたものが知られているが、再帰性が高い前者が好ましい。
【００１７】
表面フィルム８としては、親水性のセルフクリーニングフィルムを用いることが好ましい。その理由は、ポール式視線誘導標Ｐにセルフクリーニング機能を付与することができるからである。親水性のセルフクリーニングフィルムとしては、例えば、親水性を付与するための特殊表面処理が施された塩化ビニルフィルムを用いることができる。この種のセルフクリーニングフィルムは、屋外の雨水がかかる場所に設置されることにより、セルフクリーニング機能を発揮し、フィルム表面が汚れにくい状態を維持することができる。
【００１８】
次に、ポール式視線誘導標用カバー１における翼部３の形成方法について、図７を参照して説明する。
【００１９】
例えば、翼部３が２枚の場合は、２枚のシート体９を重ね、その左右両端側を翼部３の幅分だけ接合することにより、筒部２及び翼部３を形成することができる。シート体９の接合方法としては、縫付け、接着、熱溶着、面ファスナ、ホックなどを用いることができる。
【００２０】
図７は、シート体９の左右両端側を縫付けにより接合した例を示している。縫付けによる接合の場合は、表裏のシート体９を、翼部３の外端部に沿って縫付ける縫付けラインＬ１や、翼部３の内端部に沿って縫付ける縫付けラインＬ２が形成されることになるが、図７に示す例では、縫付けラインＬ２を垂直とせず、下側ほど筒部２が幅広となるように傾きを付けて形成されている。このようにすると、下側ほど径が大きいポール式視線誘導標や、ポール下端部の外周面に補強リブを突設したポール式視線誘導標にもポール式視線誘導標用カバー１を装着することが可能になる。
【００２１】
次に、ポール式視線誘導標用カバー１の装着手順について、図８を参照して説明する。
【００２２】
図８は、筒部２の内周面をポール式視線誘導標Ｐの外周面に両面粘着テープ１０で固定する場合の装着手順を示している。
この装着方法では、まず、図８の（Ａ）に示すように、一方の粘着面に剥離紙１１が貼られた両面粘着テープ１０の他方の粘着面を、予め筒部２の内周面に上下方向に沿って貼り付ける。このとき、剥離紙１１の下端部には、ポール式視線誘導標用カバー１の高さよりも長い長尺物１２の下端部を連結し、長尺物１２の上端部を筒部２の上部開口から引き出しておく。長尺物１２は、任意の材料で形成可能であるが、剥離紙１１を延長して長尺物１２とすることが好ましい。
【００２３】
次に、図８の（Ｂ）に示すように、ポール式視線誘導標用カバー１の筒部２を上方からポール式視線誘導標Ｐに被せる。その後、図８の（Ｃ）に示すように、筒部２の上部開口から引き出された長尺物１２の上端部を上方に引っ張る。これにより、両面粘着テープ１０の一方の粘着面から剥離紙１１が剥がれると共に、筒部２内から除去される。その後、両面粘着テープ１０の部分を筒部２の外周側から押圧すれば、両面粘着テープ１０を介して筒部２の内周面がポール式視線誘導標Ｐの外周面に粘着固定されることになる。
【００２４】
叙述の如く構成された本実施形態によれば、ポール式視線誘導標Ｐに装着されるポール式視線誘導標用カバー１であって、ポール式視線誘導標Ｐの外周面を覆う筒部２と、該筒部２の外周面から外方に延出し、ポール式視線誘導標Ｐの視認幅を拡張する翼部３とを備えるので、劣化などで低下したポール式視線誘導標Ｐの視認性を回復させることができるだけでなく、新品時を超える良好な視認性をポール式視線誘導標Ｐに付与することができる。
【００２５】
また、翼部３は、筒部２の外周面において上下方向に沿って連続的に形成されるので、上下方向の全域においてポール式視線誘導標Ｐの視認幅を拡張することができる。
【００２６】
また、翼部３は、筒部２の外周面において周方向に所定の間隔を存して複数形成されるので、様々な視点においてポール式視線誘導標Ｐの視認幅を拡張することができる。
【００２７】
また、筒部２及び翼部３は、左右方向に沿い、かつ、上下方向に並列する複数の条列４からなる縞模様５を有し、翼部３は、条列４を長さ方向に延長させる方向に延出されるので、縞模様５を強調することができ、その結果、ポール式視線誘導標Ｐの視認性をさらに向上させることができる。
【００２８】
また、筒部２及び翼部３は、再帰性反射シートを用いて形成されるので、夜間におけるポール式視線誘導標Ｐの視認幅を拡張し、夜間の視認性を向上させることができる。
【００２９】
また、筒部２及び翼部３の表面には、親水性のセルフクリーニングフィルムが積層されるので、ポール式視線誘導標Ｐにセルフクリーニング機能を付与することができる。
【００３０】
また、筒部２の内周面をポール式視線誘導標Ｐの外周面に両面粘着テープ１０で固定するにあたり、一方の粘着面に剥離紙１１が貼られた両面粘着テープ１０の他方の粘着面を、予め筒部２の内周面に上下方向に沿って貼り付けると共に、剥離紙１１の下端部に連結される長尺物１２の上端部を筒部２の上部開口から引き出したので、ポール式視線誘導標Ｐに筒部２を被せた後、筒部２の上部開口から引き出された長尺物１２を上方に引っ張るだけで、両面粘着テープ１０の一方の粘着面から剥離紙１１を剥がすことができ、その結果、剥離紙１１を剥がした状態で筒部２をポール式視線誘導標Ｐに被せる場合に比べ、ポール式視線誘導標用カバー１の装着容易性を向上させることができる。
【００３１】
次に、本発明の実施形態に係るポール式視線誘導標用カバー１の第二〜第四実施形態について、図９〜図１１を参照して説明する。
【００３２】
図９に示すように、第二実施形態に係るポール式視線誘導標用カバー１Ｂは、前記実施形態と同様に、筒部２の外周面から外方に延出し、ポール式視線誘導標１Ｂの視認幅を拡張する翼部３を備えるものであるが、平面視で直線的に連続する一対の翼部３を有し、該一対の翼部３が正面視で視認幅全域にわたるフラットな表示面１３を形成する点が前記実施形態と相違している。
【００３３】
このような第二実施形態のポール式視線誘導標用カバー１Ｂによれば、平面視で直線的に連続する一対の翼部３を有し、該一対の翼部３が正面視で視認幅全域にわたるフラットな表示面１３を形成するので、フラットな表示面１３において視認性の高い表示を行うことができる。例えば、フラットな表示面１３において縞模様、絵柄、文字などを表示するようにした場合、曲面による縞模様、絵柄、文字などの歪みを防止し、表示する縞模様、絵柄、文字などの視認性を高めることができる。
【００３４】
図１０に示すように、第三実施形態に係るポール式視線誘導標用カバー１Ｃは、第二実施形態と同様に、平面視で直線的に連続する一対の翼部３を有し、該一対の翼部３が正面視で視認幅全域にわたるフラットな表示面１３を形成するものであるが、フラットな表示面１３を正面だけでなく背面にも形成する点が第二実施形態と相違している。
【００３５】
このような第三実施形態のポール式視線誘導標用カバー１Ｃによれば、正面及び背面に形成されるフラットな表示面１３において縞模様、絵柄、文字などを歪みなく表示することができる。特に、対向２車線の車線分離を行うポール式視線誘導標用カバー１Ｃとして使用した場合には、対向２車線を通行する車両にそれぞれフラットな表示面１３を見せることができるという利点がある。
【００３６】
図１１に示すように、第四実施形態に係るポール式視線誘導標用カバー１Ｄは、所定の間隔を存して立設される複数のポール式視線誘導標Ｐに装着される複数のポール式視線誘導標用カバー１Ｄであって、複数のポール式視線誘導標用カバー１Ｄの組み合せで所定の絵柄又は文字が表示されるように、所定の絵柄又は文字を分割して各ポール式視線誘導標用カバー１Ｄの外観に施した点が前記実施形態と相違している。例えば、図１１に示す例では、５本のポール式視線誘導標用カバー１Ｄの組み合せで左方向を指す矢印が表示されるように、この矢印の絵柄を５つに分割して各ポール式視線誘導標用カバー１Ｄの外観に施している。
【００３７】
このような第四実施形態のポール式視線誘導標用カバー１Ｄによれば、複数のポール式視線誘導標用カバー１Ｄの組み合せで所定の絵柄又は文字が表示されるように、所定の絵柄又は文字を分割して各ポール式視線誘導標用カバー１Ｄの外観に施したので、視認幅が拡張された複数のポール式視線誘導標用カバー１Ｄの組み合せで所定の絵柄又は文字を視認性良く表示することができる。
尚、図１１に示すポール式視線誘導標用カバー１Ｄは、フラットな表示面１３を備える第二実施形態や第三実施形態のポール式視線誘導標用カバー１Ｂ、１Ｃをベースとしているが、フラットな表示面１３を持たない第一実施形態のポール式視線誘導標用カバー１でも同様な組み合せ表示を行うことができる。
【符号の説明】
【００３８】
１    ポール式視線誘導標用カバー
１Ｂ  ポール式視線誘導標用カバー（第二実施形態）
１Ｃ  ポール式視線誘導標用カバー（第三実施形態）
１Ｄ  ポール式視線誘導標用カバー（第四実施形態）
２    筒部
３    翼部
４    条列
５    縞模様
６    ベースシート
７    反射シート
８    表面フィルム
９    シート体
１０  両面粘着テープ
１１  剥離紙
１２  長尺物
１３  フラットな表示面
Ｐ    ポール式視線誘導標
【図５】
2011094470.tif 000003
【図６】
2011094470.tif 000004
【図８】
2011094470.tif 000005
【図９】
2011094470.tif 000006
【図１０】
2011094470.tif 000007
【図１１】
2011094470.tif 000008
【図１】
2011094470.tif 000009
【図２】
2011094470.tif 000010
【図３】
2011094470.tif 000011
【図４】
2011094470.tif 000012
【図７】
2011094470.tif 000013
【手続補正書】
【提出日】平成22年8月18日(2010.8.18)
【手続補正１】
【補正対象書類名】特許請求の範囲
【補正対象項目名】全文
【補正方法】変更
【補正の内容】
【特許請求の範囲】
【請求項１】
ポール式視線誘導標に装着されるポール式視線誘導標用カバーであって、
該カバーを、前記ポール式視線誘導標の外周面を覆う筒部と、
該筒部の外周面から外方に延出し、前記ポール式視線誘導標の視認幅を拡張する少なくとも２枚の翼部とを備えて構成するにあたり、
前記ポール式視線誘導標用カバーは、ポール式視線誘導標の外周面の上端から下端までを覆うものであり、
各翼部の外方への拡張は、カバー上端から下端に至るまで同じ視認幅を有したものであり、
かつ、視線誘導するための模様が筒部から翼部に至るよう連続して施されていることを特徴とするポール式視線誘導標用カバー。
【請求項２】
平面視で直線的に連続する一対の前記翼部を有し、該一対の前記翼部が正面視で視認幅全域にわたるフラットな表示面を形成することを特徴とする請求項１記載のポール式視線誘導標用カバー。
【請求項３】
前記視線誘導するための模様は、左右方向に沿い、かつ、上下方向に並列する複数の条列からなる縞模様であることを特徴とする請求項１または２のいずれか一項に記載のポール式視線誘導標用カバー。
【請求項４】
前記筒部及び前記翼部は、再帰性反射シートを用いて形成されることを特徴とする請求項１〜３のいずれか一項に記載のポール式視線誘導標用カバー。
【請求項５】
前記筒部及び前記翼部の表面には、親水性のセルフクリーニングフィルムが積層されることを特徴とする請求項１〜４のいずれか一項に記載のポール式視線誘導標用カバー。
【請求項６】
前記筒部の内周面を前記ポール式視線誘導標の外周面に両面粘着テープで固定するにあたり、一方の粘着面に剥離紙が貼られた前記両面粘着テープの他方の粘着面を、予め前記筒部の内周面に上下方向に沿って貼り付けると共に、前記剥離紙の下端部に連結される長尺物の上端部を前記筒部の上部開口から引き出したことを特徴とする請求項１〜５のいずれか一項に記載のポール式視線誘導標用カバー。
【請求項７】
所定の間隔を存して立設される複数のポール式視線誘導標に装着される複数のポール式視線誘導標用カバーであって、複数のポール式視線誘導標用カバーの組み合せで所定の視線誘導標が表示されるように、該所定の視線誘導標を分割して各ポール式視線誘導標用カバーの外観に施したことを特徴とする請求項１または２に記載のポール式視線誘導標用カバー。
【手続補正２】
【補正対象書類名】明細書
【補正対象項目名】０００６
【補正方法】変更
【補正の内容】
【０００６】
本発明は、上記の如き実情に鑑みこれらの課題を解決することを目的として創作されたものであって、請求項１の発明は、ポール式視線誘導標に装着されるポール式視線誘導標用カバーであって、該カバーを、前記ポール式視線誘導標の外周面を覆う筒部と、該筒部の外周面から外方に延出し、前記ポール式視線誘導標の視認幅を拡張する少なくとも２枚の翼部とを備えて構成するにあたり、前記ポール式視線誘導標用カバーは、ポール式視線誘導標の外周面の上端から下端までを覆うものであり、各翼部の外方への拡張は、カバー上端から下端に至るまで同じ視認幅を有したものであり、かつ、視線誘導するための模様が筒部から翼部に至るよう連続して施されていることを特徴とするポール式視線誘導標用カバーである。
請求項２の発明は、平面視で直線的に連続する一対の前記翼部を有し、該一対の前記翼部が正面視で視認幅全域にわたるフラットな表示面を形成することを特徴とする請求項１記載のポール式視線誘導標用カバーである。
請求項３の発明は、前記視線誘導するための模様は、左右方向に沿い、かつ、上下方向に並列する複数の条列からなる縞模様であることを特徴とする請求項１または２のいずれか一項に記載のポール式視線誘導標用カバーである。
請求項４の発明は、前記筒部及び前記翼部は、再帰性反射シートを用いて形成されることを特徴とする請求項１〜３のいずれか一項に記載のポール式視線誘導標用カバーである。
請求項５の発明は、前記筒部及び前記翼部の表面には、親水性のセルフクリーニングフィルムが積層されることを特徴とする請求項１〜４のいずれか一項に記載のポール式視線誘導標用カバーである。
請求項６の発明は、前記筒部の内周面を前記ポール式視線誘導標の外周面に両面粘着テープで固定するにあたり、一方の粘着面に剥離紙が貼られた前記両面粘着テープの他方の粘着面を、予め前記筒部の内周面に上下方向に沿って貼り付けると共に、前記剥離紙の下端部に連結される長尺物の上端部を前記筒部の上部開口から引き出したことを特徴とする請求項１〜５のいずれか一項に記載のポール式視線誘導標用カバーである。
請求項７の発明は、所定の間隔を存して立設される複数のポール式視線誘導標に装着される複数のポール式視線誘導標用カバーであって、複数のポール式視線誘導標用カバーの組み合せで所定の視線誘導標が表示されるように、該所定の視線誘導標を分割して各ポール式視線誘導標用カバーの外観に施したことを特徴とする請求項１または２に記載のポール式視線誘導標用カバーである。
【手続補正３】
【補正対象書類名】明細書
【補正対象項目名】０００７
【補正方法】変更
【補正の内容】
【０００７】
請求項１の発明によれば、ポール式視線誘導標用カバーは、ポール式視線誘導標の外周面を覆う筒部と、該筒部の外周面から外方に延出し、ポール式視線誘導標の視認幅を拡張する翼部とを備えるので、劣化などで低下したポール式視線誘導標の視認性を回復させることができるだけでなく、新品時を超える良好な視認性をポール式視線誘導標に付与することができる。
また、請求項２の発明によれば、平面視で直線的に連続する一対の前記翼部を有し、該一対の前記翼部が正面視で視認幅全域にわたるフラットな表示面を形成するので、フラットな表示面において視認性の高い表示を行うことができる。例えば、フラットな表示面において視線誘導標を表示するようにした場合、曲面による視線誘導標の歪みを防止し、表示する視線誘導標の視認性を高めることができる。
また、請求項３の発明によれば、筒部及び翼部は、左右方向に沿い、かつ、上下方向に並列する複数の条列からなる縞模様を有し、翼部は、条列を長さ方向に延長させる方向に延出されるので、縞模様を強調することができ、その結果、ポール式視線誘導標の視認性をさらに向上させることができる。
また、請求項４の発明によれば、筒部及び翼部は、再帰性反射シートを用いて形成されるので、夜間におけるポール式視線誘導標の視認幅を拡張し、夜間の視認性を向上させることができる。
また、請求項５の発明によれば、筒部及び翼部の表面には、親水性のセルフクリーニングフィルムが積層されるので、ポール式視線誘導標にセルフクリーニング機能を付与することができる。
また、請求項６の発明によれば、筒部の内周面をポール式視線誘導標の外周面に両面粘着テープで固定するにあたり、一方の粘着面に剥離紙が貼られた両面粘着テープの他方の粘着面を、予め筒部の内周面に上下方向に沿って貼り付けると共に、剥離紙の下端部に連結される長尺物の上端部を筒部の上部開口から引き出したので、ポール式視線誘導標に筒部を被せた後、筒部の上部開口から引き出された長尺物を上方に引っ張るだけで、両面粘着テープの一方の粘着面から剥離紙を剥がすことができ、その結果、剥離紙を剥がした状態で筒部をポール式視線誘導標に被せる場合に比べ、ポール式視線誘導標用カバーの装着容易性を向上させることができる。
また、請求項７の発明によれば、所定の間隔を存して立設される複数のポール式視線誘導標に装着される複数のポール式視線誘導標用カバーであって、複数のポール式視線誘導標用カバーの組み合せで所定の視線誘導標が表示されるように、所定の視線誘導標を分割して各ポール式視線誘導標用カバーの外観に施したので、視認幅が拡張された複数のポール式視線誘導標用カバーの組み合せで所定の視線誘導標を視認性良く表示することができる。
【手続補正４】
【補正対象書類名】明細書
【補正対象項目名】００１０
【補正方法】変更
【補正の内容】
【００１０】
本発明のポール式視線誘導標用カバー１は、図１〜図４において明らかなように、ポール式視線誘導標Ｐの外周面の上端から下端までを覆う筒部２と、該筒部２の外周面から外方に延出し、ポール式視線誘導標Ｐの視認幅が上端から下端まで同じになるよう拡張する一対の翼部３とを備えている。このように構成されたポール式視線誘導標用カバー１によれば、劣化などで低下したポール式視線誘導標Ｐの視認性を回復させることができるだけでなく、翼部３による視認幅の拡張に基づいて、新品時を超える良好な視認性をポール式視線誘導標Ｐに付与することが可能になる。
【手続補正５】
【補正対象書類名】明細書
【補正対象項目名】００１２
【補正方法】変更
【補正の内容】
【００１２】
また、翼部３は、図５の（Ａ）に示す参考例のように、１枚でも良いが、本発明は、筒部２の外周面において周方向に所定の間隔を存して少なくとも２枚以上である。その理由は、様々な視点においてポール式視線誘導標Ｐの視認幅を拡張することができるからである。例えば、図１〜図４は、翼部３が２枚のポール式視線誘導標用カバー１を示し、図５の（Ｂ）は、翼部３が３枚のポール式視線誘導標用カバー１を示し、図５の（Ｃ）は、翼部３が４枚のポール式視線誘導標用カバー１を示しているが、翼部３の数は、５枚以上としても良い。
【手続補正６】
【補正対象書類名】明細書
【補正対象項目名】００１３
【補正方法】変更
【補正の内容】
【００１３】
また、筒部２及び翼部３は、左右方向に沿い、かつ、上下方向に並列する複数の条列４からなる縞模様５を有する。例えば、白色の条列４と、オレンジ色の条列４を交互に並列させた縞模様５とする。このとき、条列４を筒部２から翼部３に至るよう連続して施され長さ方向に延長させる。その理由は、翼部３に至るまで連続して形成することにより縞模様５が強調され、ポール式視線誘導標Ｐの視認性がさらに向上するからである。
【手続補正７】
【補正対象書類名】明細書
【補正対象項目名】００３３
【補正方法】変更
【補正の内容】
【００３３】
このような第二実施形態のポール式視線誘導標用カバー１Ｂによれば、平面視で直線的に連続する一対の翼部３を有し、該一対の翼部３が正面視で視認幅全域にわたるフラットな表示面１３を形成するので、フラットな表示面１３において視認性の高い表示を行うことができる。例えば、フラットな表示面１３において縞模様、絵柄、文字などを表示するようにした場合、曲面による縞模様、絵柄、文字などの視線誘導表の歪みを防止し、表示する視線誘導標の視認性を高めることができる。
【手続補正８】
【補正対象書類名】明細書
【補正対象項目名】００３５
【補正方法】変更
【補正の内容】
【００３５】
このような第三実施形態のポール式視線誘導標用カバー１Ｃによれば、正面及び背面に形成されるフラットな表示面１３において縞模様、絵柄、文字などの視線誘導表を歪みなく表示することができる。特に、対向２車線の車線分離を行うポール式視線誘導標用カバー１Ｃとして使用した場合には、対向２車線を通行する車両にそれぞれフラットな表示面１３を見せることができるという利点がある。
【手続補正９】
【補正対象書類名】明細書
【補正対象項目名】００３７
【補正方法】変更
【補正の内容】
【００３７】
このような第四実施形態のポール式視線誘導標用カバー１Ｄによれば、複数のポール式視線誘導標用カバー１Ｄの組み合せで所定の視線誘導標が表示されるように、所定の視線誘導標を分割して各ポール式視線誘導標用カバー１Ｄの外観に施したので、視認幅が拡張された複数のポール式視線誘導標用カバー１Ｄの組み合せで所定の視線誘導標を視認性良く表示することができる。